(57)【特許請求の範囲】
【請求項１】
遊技機の外部からの不正磁石を検出可能な単一の磁石検知手段と、
前記遊技機の遊技状態を検出する遊技状態検出手段と、
を備える遊技機であって、
前記磁石検知手段により前記遊技機の表面に不正磁石が検出され、且つ、前記遊技状態検出手段により前記遊技機が遊戯中であると検出された場合に、前記遊技機が異常状態にあると判定し、前記遊技機の外部に異常情報を送信する異常検出部を備え、
前記磁石検知手段は、磁束を検出する磁束センサと検出された磁束信号を処理する検出信号処理部とを備えており、
前記検出信号処理部は、
磁束センサ出力信号を取得するセンサ信号取得処理部と、
電源投入時の前記磁束センサの出力を検知座標原点とする原点決定処理部と、
前記磁束センサの出力を移動平均法を用いて平均化処理して前記遊技機の周辺に存在する既存磁力の影響を除去する平均化フィルタ部と、
前記平均化フィルタ部から出力された信号の電圧レベルが前記検知座標原点を基準にし、地球磁場よりも小さい所定閾値を超えた場合に不正磁石が検出されたと判定する磁石検知処理部と、
を備えていることを特徴とする遊技機。
【請求項２】
遊技機外部からの不正磁石を単一の磁石検知手段により検出し、
前記遊技機の遊技状態を遊技状態検出手段により検出する、
遊技機に対する不正磁石の検知方法であって、
前記磁石検知手段は、磁束センサにより磁束を検出し、検出された磁束信号を検出信号処理部により処理し、
前記検出信号処理部は、
センサ信号取得処理部により磁束センサ出力信号を取得し、
原点決定処理部により電源投入時の前記磁束センサの出力を検知座標原点とし、
平均化フィルタ部により前記磁束センサの出力を移動平均法を用いて平均化処理して前記遊技機の周辺に存在する既存磁力の影響を除去し、
磁石検知処理部により前記平均化フィルタ部から出力された信号の電圧レベルが前記検知座標原点を基準にし、地球磁場よりも小さい所定閾値を超えた場合に不正磁石が検出されたと判定する、
というステップを備え、
前記磁石検知手段により前記遊技機の表面に不正磁石が検出され、且つ、前記遊技状態検出手段により前記遊技機が遊戯中であると検出された場合に、異常検出部により、前記遊技機が異常状態にあると判定し、前記遊技機の外部に異常情報を送信することを特徴とする遊技機に対する不正磁石の検知方法。
【発明の詳細な説明】
【技術分野】
【０００１】
本発明は遊技機及び遊技機に対する不正磁石の検知方法に関し、特にパチンコ遊技機に取付けられる不正磁石検知センサおいて、複数のセンサではなくて単一の不正磁石検知センサにて遊技機前面にて不正に作用する磁石を検出する遊技機及び遊技機に対する不正磁石の検出方法に関する。
【背景技術】
【０００２】
パチンコ遊技機の不正防止方法において、パチンコ玉の動きを操作する不正行為に用いられる磁石を検知して不正行為を報知する先行技術として特許文献１が知られている。この特許文献１においては、不正磁石の操作作用点となる複数の入賞口近傍に配置された複数の磁石検知手段を用いて、磁石を検知した場合に遊技機の外部に発報する技術が開示されている。
【０００３】
【特許文献１】特開２００３−３４００７４
【発明の開示】
【発明が解決しようとする課題】
【０００４】
パチンコ遊技機には、役物可動用モータ、ソレノイド等に使用されている磁石やパチンコ発射部に使用されている磁石などによる既存磁力が存在している。この既存磁力を不正磁石から放出されている磁力として誤検出する事を防止する手段としては、磁石検知手段の検知感度を低くするか又は既存磁力の影響を受けない位置に磁石検知手段を配置することにより、パチンコ遊技機内に存在する既存磁力を誤検出しないようにする必要がある。
【０００５】
パチンコ遊技機内に存在する既存磁力を誤検出しないようにするために、上記特許文献１においては、磁石による不正操作がなされる複数の位置のそれぞれに磁石検知手段を配置している。このため、パチンコ遊技機の１台当たりの価格が単一の磁石検知手段による場合に比較して高価となり、且つ、構成が複雑になるという課題がある。
【０００６】
遊技機１台当たりに単一の磁石検知手段を遊技機ガラス扉の端部や遊技機枠の端部に取り付けることにより不正磁石を検出するようにして、構成が簡単で安価が遊技機を実現するためには、磁石検知感度を高くして広範囲に不正磁石の検出を可能にしなければならない。しかし、このようにして取り付けられた磁石検知手段を用いると、遊技機ガラス扉の開閉や遊技機枠の開閉により磁石検知手段の位置が移動するので検知座標点及び検知方位が変化してしまう。検知される地球磁場の大きさは検知座標点及び検知方位によって異なる。磁石検知手段の検知座標及び検知方位が変化すると、磁石検知手段の出力は地球磁場の影響で変化してしまう。したがって、磁石検知手段の検知感度を高くして地球磁場の大きさの最大値より低い閾値に設定すると、磁石検知手段の検知座標点及び検知方位変化に伴って地球磁場の影響が検出結果に反映されてしまう場合がある。そこで、地球磁場の影響のない状態で磁石検知手段の出力を得る必要がある。
【０００７】
上記課題に鑑みて、本発明の第１の目的は、単一の磁石検出手段にて不正磁石を検出可能で且つパチンコ遊技機内に存在する既存磁力を誤検出しない、安価且つ構成が簡単な不正磁石検知機能付き遊技機及び遊技機に対する不正磁石の検知方法を提供する事にある。
【０００８】
本発明の第２の目的は、単一の磁石検出手段を用いても遊技機に存在する既存磁力及び地球磁場の影響による誤検出を防止する不正磁石検知機能付き遊技機及び遊技機に対する不正磁石の検知方法を提供する事にある。
【課題を解決するための手段】
【０００９】
上記課題を解決するために、本発明の第１の態様により提供されるものは、単一の磁石検知手段の検知結果により遊技機の表面に不正磁石が検出され、且つ、遊技状態検出手段により遊技機が遊戯中であると検出された場合に、遊技機が異常状態にあると判定し、遊技機の外部に異常情報を送信する異常検出部を備えていることを特徴とする遊技機及び遊技機に対する不正磁石の検知方法である。
【００１０】
本発明の第２の態様によれば、第１の態様における遊技状態検出手段はパチンコ玉発射信号を検出するものであり、異常検出部は、遊技状態検出手段からのパチンコ玉発射信号を受け付けた状態で、且つ、磁石検知手段からの磁石検知信号を受け付けた場合にのみ遊技機の外の管理装置に不正磁石を検知したことを示す異常情報を送信する。
【００１１】
本発明の第３の態様によれば、第１の態様における遊技状態検出手段は遊技機の前面に取り付けられたガラス扉の開閉状態を検出するものであり、異常検出部は、遊技状態検出手段がガラス扉の閉状態を検出し、且つ、磁石検知手段から磁石検知信号を受け付けた場合にのみ遊技機の外の管理装置に不正磁石を検知したことを示す異常情報を送信する。
【００１２】
本発明の第４の態様によれば、第１の態様における遊技状態検出手段は遊技機の前面に取り付けられた遊技枠の開閉状態を検出するものであり、異常検出部は、遊技状態検出手段が遊技枠の閉状態を検出し、且つ、磁石検知手段からの磁石検知信号を受付けた場合のみ遊技機の外の管理装置に不正磁石を検知したことを示す異常情報を送信する。
【００１３】
本発明の第５の態様によれば、第１〜第４の態様において、磁石検知手段は、磁束を検出する磁束センサと検出された磁束信号を処理する検出信号処理部とを備えており、検出信号処理部は、磁束センサ出力信号を取得するセンサ信号取得処理部と、電源投入時の磁束センサの出力を検知座標原点とする原点決定処理部と、磁束センサの出力を移動平均法を用いて平均化処理して遊技機の周辺に存在する既存磁力の影響を除去する平均化フィルタ部と、平均化フィルタ部から出力された信号の電圧レベルが検知座標原点を基準にした所定閾値を超えた場合に不正磁石が検出されたと判定する磁気検知処理部と、を備えている。
【発明の効果】
【００１４】
本発明の第１の態様によれば、単一の磁石検知手段により不正磁石を検出できるので、複数の磁石検知手段により不正磁石を検出する従来の場合に比べて安価で且つ構成が簡単な遊技機を提供できる。
【００１５】
磁石によるパチンコ玉不正操作は、遊技機の遊技中に行われる。本発明の第２〜第４の態様によれば、遊技中で、且つ、磁石検知センサからの磁石検知信号を受付けた場合のみ不正磁石を検知したとして判断する事で、遊技休止中にガラス扉開閉や遊技枠の開閉による地球磁場の影響を受ける事がないようにして、誤検出を防止する高感度な不正磁石検知機能付き遊技機を提供する事が出来る。遊技中であることは、パチンコ玉発射制御部からのパチンコ玉発射信号を受け付けた状態、ガラス扉の閉状態、又は遊技枠の閉状態を検出することにより分かる。
【００１６】
本発明の第５の態様によれば、磁石検知手段からの検出信号に平均化処理を施す事で遊技機既存磁力の影響を排除した高感度な不正磁石検知が可能な遊技機を提供できる。
【発明を実施するための最良の形態】
【００１７】
以下、本発明を実施するための最良の形態を図面より詳述する。全図を通して同一参照番号は同一のものを示す。
【実施例１】
【００１８】
図１は本発明の１実施例によるパチンコ遊技機の外観斜視図、図２は本発明の１実施例によるによる遊技機の正面図である。図１及び図２において、パチンコ遊技機１０は、遊技枠１２と、遊技枠１２に組み込まれた遊技盤１４と、遊技盤１４の前面に設けられた遊技枠１２にガラス扉１６と、遊技盤１４上に設けられた複数の役物１８と、ガラス扉１６の下側で遊技枠１２の前面に設けられたパチンコ玉受け皿２０と、パチンコ玉受け皿２０の右側に設けられたパチンコ玉発射ハンドル２２とを備えている。本発明の１実施例により、遊技機１０の外部からの不正磁石を検出可能な単一の磁石検知手段２４がガラス扉１６の枠の端面に取り付けられている。磁石検知手段２４は磁石センサとして知られる市販のＭＩセンサである。以下、磁石検知手段２４を磁石検知センサと称する。
【００１９】
ガラス扉１６の枠の端面に磁石検知センサ２４を取り付けるメリットは、取り付けのしやすさ、演出の邪魔にならない、大きな磁場を発生する中央の役物ソレノイドの影響を受けにくいなどである。
【００２０】
ガラス扉１６の枠を開閉した場合に磁石検知センサ２４の向きが変わり、この結果、地球磁場の大きさが磁石検知センサ２４の検出出力に与える影響が変化し、磁石検知センサ２４の検出出力がガラス扉の位置の変化に応じて変化してしまう。このため検出閾値が低い高感度の磁石検知センサでは地球磁場を不正磁石と誤検知してしまうことがある。一般に磁石検知センサ２４の検知軸の方向が地磁気の方向に対して平行の状態では検知出力電圧が最大になり、地磁気の方向に対して垂直の状態では検知出力電圧は最小になる。
【００２１】
一方、磁石検知センサ２４による検知範囲の広範囲化をねらうと地球磁場の大きさよりも小さな磁束密度を閾値とした検知を行う必要があることが実験的に判明した。地球磁場の大きさは、日本国内で約40μT(マイクロテスラ）〜50μTの静磁界である。本実施例では、広範囲に磁石を検知するための磁石検知センサ２４の閾値は、40μT以下である。
【００２２】
磁石検知センサ２４の出力がガラス扉の開閉により受ける地球磁場の影響を説明する。
【００２３】
図３の（Ａ）はパチンコ遊技機１０の前面のガラス扉１６を閉じた状態を示す正面図、図３の（Ｂ）はガラス扉１６を約４５度開いた状態を示す図である。
【００２４】
図４はガラス扉１６の位置と磁石検知センサ２４の出力電圧との関係を示すグラフ図である。本実施例では、ガラス扉１６を閉じた状態で磁石検知センサ２４の出力電圧が最小になるように磁石検知センサ２４をガラス扉１６の枠の端面に配置しておく。
【００２５】
図４において、ガラス扉１６が閉じている状態の時刻ｔ１においては地球磁場の影響が最小であり、そのときの磁石検知センサ２４の検出磁束密度をそのときの地球磁場の影響で相殺して０とする。ガラス扉１６を開くにしたがって検出磁束密度に与える地球磁場の影響が大きくなり、時刻ｔ２で検出磁束密度は地球磁場の大きさにほぼ等しくなる。図４に示したグラフは模式的であって、実際には磁石検知センサ２４の検出出力はガラス扉１６の開閉の状態に応じて０と地球磁場の大きさの間で変動する。前述したように、本実施例では不正磁石の検知閾値を地球磁場の大きさよりも小さく設定した。このため、誤検出を防止するための手段を講じる必要がある。
【００２６】
図５は上記誤検出を防止するための手段を講じない場合の不正磁石検知方法を説明するフローチャートである。図５において、ステップ５１にて電源投入し、ステップ５２にて各軸の感度設定をする。感度は、各検知軸毎に持っているため各軸の磁束密度は以下の式で求める。
磁束密度(μT)Δx =  ( x−x0 )÷X軸感度（mV/μT)
磁束密度(μT)Δy =  ( y−y0 )÷Y軸感度（mV/μT)
ここで、x0、y0は、電源投入時の磁束センサ出力であり、
x、yは、磁束センサ出力であり、
Δx、Δyは、磁束密度変化量である。
【００２７】
ステップ５３にて、検知閾値を、地球磁場の大きさ＞検知閾値となるように設定する。次いでステップ５４にて、原点決定処理を行う。この処理の詳細は図６に示すフローチャートに示されている。
【００２８】
ステップ５４に次いでステップ５５にて磁石検知処理を行う。この処理の詳細は図７のフローチャートに示されている。簡単に説明すると、（１）磁石が磁石検知センサに近づくと、磁石の磁界によって磁束センサ出力が変化する。（２）原点からの磁石検知センサ２４の出力の変化量を磁束密度の大きさとして求める。（３）磁石を近づけて、（２）によって求めた磁束密度の大きさが磁石を検知するための閾値を超えた場合は、検知出力とする。また、近づけた磁石を遠ざけて磁石を検知するための閾値を下回った場合は、非検知出力とする。
【００２９】
ステップ５５は無限ループで電源がオフになり、メイン処理が終了するまで継続して行う。
【００３０】
図６は図５のステップ５４の詳細を説明するフローチャートである。図６において、ステップ６１にてサンプリング点数をＮ（Ｎは自然数）点とする。ステップ６２にてデータ取得数Ｃｎｔを０にリセットする。ステップ６３にて磁石検知センサ２４の検出出力のＸ軸値ＸａｄとＹ軸値ＹａｄをＡＤ変換をする。ステップ６４にてＡＤ変換結果を前回のＡＤ変換結果に加算して記憶する。また、データ取得数Ｃｎｔをインクリメントする。ステップ６５にてデータ取得数Ｃｎｔが所定数Ｎになるまで、ステップ６３〜６５を繰り返す。ステップ６５にてデータ取得数Ｃｎｔが所定数Ｎ以上になると、ステップ６６にてＡＤ変換結果の合計をＮで割って原点とする。即ち、Ｘ軸の原点Ｘ０はＸ０＝Ｘｓｕｍ／Ｎ、Ｙ軸の原点Ｙ０はＹ０＝Ｙｓｕｍ／Ｎとなる。
【００３１】
図７は図５のステップ５５の詳細を説明するフローチャートである。図７において、ステップ７１にて磁石検知センサ２４の検出出力をＡＤ変換してＸａｄ及びＹａｄとし、ステップ７２にて原点からの変化量ΔＸ及びΔＹを計算し、ステップ７３にて変化量ΔＸ及びΔＹの少なくとも一方が検知閾値を超えるとステップ７４にて磁石検知出力をＯＮとし、それ以外はステップ７５にて磁石検知出力をＯＦＦとする。
【００３２】
以上図５〜図７により説明した方法では、不正磁石の検知閾値を地球磁場の大きさよりも小さく設定すると、誤検出を防止するための手段を講じる必要がある。
【００３３】
図８は本発明の実施例によるパチンコ遊技機の構成を示すブロック図である。図８において、パチンコ遊技機１０は、磁石検知センサ２４と、パチンコ玉発射制御部（ソレノイド)８１２と、遊技機枠状態制御部（開閉センサ１）８１３と、ガラス扉開閉状態制御部（開閉センサ２）８１４と、異常検知部８１５とを備えている。パチンコ玉発射制御部（ソレノイド)８１２と、遊技機枠状態制御部（開閉センサ１）８１３と、ガラス扉開閉状態制御部（開閉センサ２）８１４と、異常検知部８１５とは遊技状態検出手段を構成している。
【００３４】
磁石検知センサ２４は、磁束センサ８１６と、その出力に接続された検知信号処理部８１１とを備えている。検知信号処理部８１１はマイコンで実現される。検知信号処理部８１１は、センサ信号取得処理部８１７と、その出力に接続された平均化フィルタ部８１８及び原点決定処理部８１９と、それらの出力に接続された磁石検知処理部８２０とを備えている。
【００３５】
パチンコ遊技機１０は更に、大当たり制御部８２１と、演出制御部８２２と、出玉制御部８２３と、大当り役物可動部（ソレノイド）８２５と、大当たり賞球口可動部８２６と、表示部（演出画面）８２７と、演出役物稼動部（ソレノイド）８２８と、玉払出部（玉切ソレノイド）８２９と、大当賞球検知部（賞球カウントセンサ）８３０とを備えている。
【００３６】
異常検知部８１５には、磁石検知処理部８２０の出力、パチンコ玉発射制御部８１２の出力、遊技機枠状態制御部８１３の出力、ガラス扉開閉状態制御部８１４の出力、入賞検知部８２４の出力、及び出玉制御部８２３の出力が接続されている。
【００３７】
異常検知部８１５と大当たり制御部８２１とは双方向接続されている。大当たり制御部８２１の入力には、入賞検知部８２４の出力が接続されており、大当たり制御部８２１の出力は、大当り役物可動部８２５の入力と、大当り賞球口可動部８２６の入力と、演出制御部８２２の入力に接続されている。演出制御部の出力は、表示部８２７と演出役物可動部８２８の入力に接続されている。出玉制御部８２３の出力は玉払出部８２９の入力に接続されており、出玉制御部８２３の入力は大当賞球検知部８３０の出力に接続されている。
【００３８】
異常検知部８１５からは後述する条件下で異常出力が出され、大当たり制御部８２１からは入賞検知部８２４の出力及び異常検知部８１５の出力に応じて大当たり信号が出力され、出玉制御部８２３からは大当賞球検知部８３０の出力に応じて出玉信号が出力される。
【００３９】
図９は本発明の実施例による異常検知部８１５の異常出力条件を説明する表図である。図９において、異常出力条件１の場合は、磁石検知センサ２４の検知出力が検知を示し、且つ、ガラス扉１６の開閉状態が「閉」のときは、遊戯中に不正磁石を検出したと判定して異常出力を「有」にし、その他の場合は異常出力を「無」にする。
【００４０】
異常出力条件２の場合は、磁石検知センサ２４の検知出力が検知を示し、且つ、遊技機の遊技枠１２の開閉状態が「閉」のときは、遊戯中に不正磁石を検出したと判定して異常出力を「有」にし、その他の場合は異常出力を「無」にする。
【００４１】
ガラス扉の開閉状態に関しては、ガラス扉１６が開になったときに開閉センサ１がＯＮになる場合と、閉になったときに開閉センサ１がＯＮになる場合がある。ガラス扉１６が開になったときに開閉センサ１がＯＮになる場合では、開閉センサ１がＯＦＦのときで、且つ、磁石検知センサ２４の検知出力が検知を示しているときは、遊戯中に不正磁石を検出したと判定する。ガラス扉１６が閉になったときに開閉センサ１がＯＮになる場合では、開閉センサ１がＯＮのときで、且つ、磁石検知センサ２４の検知出力が検知を示しているときは、遊戯中に不正磁石を検出したと判定する。
【００４２】
遊技枠１２の開閉状態についても、遊技枠１２が開になったときに開閉センサ２がＯＮになる場合と、閉になったときに開閉センサ２がＯＮになる場合がある。ガラス扉１６が開になったときに開閉センサ２がＯＮになる場合では、開閉センサ２がＯＦＦのときで、且つ、磁石検知センサ２４の検知出力が検知を示しているときは、遊戯中に不正磁石を検出したと判定する。ガラス扉１６が閉になったときに開閉センサ２がＯＮになる場合では、開閉センサ２がＯＮのときで、且つ、磁石検知センサ２４の検知出力が検知を示しているときは、遊戯中に不正磁石を検出したと判定する。
【００４３】
異常出力条件３の場合は、磁石検知センサ２４の検知出力が検知を示し、且つ、パチンコ玉発射制御部８１２の出力が「発射中」を示すときは、遊戯中に不正磁石を検出したと判定して異常出力を「有」にし、その他の場合は異常出力を「無」にする。
【００４４】
図１０Ａ及び図１０Ｂは図９に示したパチンコ遊技機１０における異常検知部８１５の動作を説明するフローチャートである。図１０Ａにおいて、遊技機異常検知のメイン処理では、ステップ１０１にて電源を投入し、ステップ１０２にて異常検知部８１５からの異常出力をオフに初期設定し（Ｅｒｒ＝ＯＦＦ）、ステップ１０３にて遊技機枠状態制御部８１３から遊技機枠状態（Ｓｔｓ１）を取得し、ステップ１０４にてガラス扉開閉状態制御部８１４からガラス扉開閉状態（Ｓｔｓ２）を取得し、ステップ１０５にてパチンコ玉発射制御部８１２からパチンコ玉発射状態（Ｓｔｓ３）を取得し、ステップ１０６にて磁石検知センサ２４から磁石検知状態（Ａｌｍ）を取得する。ステップ１０３〜１０６の順序は図示したものに限定されず、任意である。
【００４５】
一方、磁石検知センサ２４のメイン処理では、ステップ１０７から１１０にて図５により説明したステップ５２〜５５と同じ動作により磁石検知出力を得る。この磁石検知出力はステップ１０６における磁石検知状態の取得に用いられる。
【００４６】
図１０Ｂにおいて、ステップ１１１にて磁石検知状態か（Ａｌｍ＝ＯＮか）を判定し、オンであればステップ１１２に進んで遊技機枠状態が閉出力（Ｓｔｓ１＝閉）かを判定する。閉であればステップ１１３に進み、磁石が検知され且つ遊戯中であると判定して異常出力をＯＮにする（Ｅｒｒ＝ＯＮ）。
【００４７】
ステップ１１２の判定がノーであればステップ１１４に進みガラス扉開閉状態が閉出力（Ｓｔｓ２＝閉）かを判定する。閉であれば磁石が検知され且つ遊戯中であると判定して異常出力をＯＮにする（Ｅｒｒ＝ＯＮ）。
【００４８】
ステップ１１４の判定がノーであればステップ１１６に進みパチンコ玉発射状態が発射中（Ｓｔｓ３＝発射中）かを判定する。発射中であれば磁石が検知され且つ遊戯中であると判定して異常出力をＯＮにする（Ｅｒｒ＝ＯＮ）。
【００４９】
ステップ１１１の判定で磁石検知ではない（ＡＬＭ＝ＯＦＦ）場合、又はステップ１１６の判定で発射中でなければステップ１１８に進み異常出力をＯＦＦにする（Ｅｒｒ＝ＯＦＦ）。
【００５０】
以上の処理により、遊技機の盤面上に磁石が検知され且つ遊戯中であると判定された場合に、異常であることが出力される。
【００５１】
図１０Ａのステップ１０９における原点決定処理の詳細は図６に示したフローチャートに従って行われる。
【００５２】
図１１は図１０Ａのステップ１１０における磁石検知処理の詳細を説明するフローチャートである。図１１において、ステップ１１９にてセンサ信号取得処理部８１７は磁束線さ８１６の出力から磁束密度の大きさ（ΔＸ，ΔＹ）を計算する。次いでステップ１２０にて平均化フィルタ部８１８により平均化処理を行う。この処理は、標本化間隔Δｔ（秒）、Ｎ点移動平均した場合の平均化時間ＴａｖｅはＴａｖｅ＝ＮΔｔ（秒）となるので信号ｘ（ｔ）をＴａｖｅ（秒）平均したときの出力は次の式で表わせる。
【００５３】
【数１】
0005446124.tif 000002
【００５４】
次いでステップ１２１にてΔＸａｖｅ＞検知閾値とΔＹａｖｅ＞検知閾値の少なくとも一方が成立するか否かを判定し、成立すればステップ１２２に進んで検知出力をＯＮにし、否であればステップ１２３にて検知出力をＯＦＦにする。
【００５５】
本発明は上記実施例に限定されるものではなく、様々の変形が可能である。例えば、ガラス扉１６の端部枠に磁石検知センサ２４を取り付けた例で説明したが、ガラス扉１６に替えて、遊技枠１２の端面に磁石検知センサ２４を取り付けてもよい。
【図面の簡単な説明】
【００５６】
【図１】本発明の１実施例によるパチンコ遊技機の外観斜視図である。
【図２】本発明の１実施例によるによる遊技機の正面図である。
【図３】（Ａ）はパチンコ遊技機１０の前面のガラス扉１６を閉じた状態を示す正面図、（Ｂ）はガラス扉１６を約４５度開いた状態を示す図である。
【図４】ガラス扉１６の位置と磁石検知センサ２４の出力電圧との関係を示すグラフ図である。
【図５】誤検出を防止するための手段を講じない場合の不正磁石検知方法を説明するフローチャートである。
【図６】図５のステップ５４の詳細を説明するフローチャートである。
【図７】図５のステップ５５の詳細を説明するフローチャートである。
【図８】本発明の実施例によるパチンコ遊技機の構成を示すブロック図である。
【図９】本発明の実施例による異常検知部８１５の異常出力条件を説明する表図である。
【図１０Ａ】図９に示したパチンコ遊技機１０における異常検知部８１５の動作を説明するフローチャートの一部である。
【図１０Ｂ】図９に示したパチンコ遊技機１０における異常検知部８１５の動作を説明するフローチャートの他の一部である。
【図１１】図１０Ａのステップ１１０における磁石検知処理の詳細を説明するフローチャートである。
【符号の説明】
【００５７】
１０    パチンコ遊技機
１２    遊技枠
１６    ガラス扉
２４    磁石検知センサ（磁石検知手段）
８１２    パチンコ玉発射制御部
８１３    遊技枠状態制御部
８１４    ガラス扉開閉状態制御部
８１５    異常検知部
８１１    検出信号処理部（マイコン）
８１７    センサ信号取得処理部
８１８    平均化フィルタ
８１９    原点決定処理部
８２０    磁石検知処理部
【図１】
0005446124.tif 000003
【図２】
0005446124.tif 000004
【図３】
0005446124.tif 000005
【図４】
0005446124.tif 000006
【図５】
0005446124.tif 000007
【図６】
0005446124.tif 000008
【図７】
0005446124.tif 000009
【図８】
0005446124.tif 000010
【図９】
0005446124.tif 000011
【図１０Ａ】
0005446124.tif 000012
【図１０Ｂ】
0005446124.tif 000013
【図１１】
0005446124.tif 000014